(57)【要約】【課題】包装用シートに掲載された広告などの印刷面を破損することなく包装用シートをロール状袋体から剥がすことができる包装用シートを提供する。【解決手段】複数枚の帯状連続袋体をロール状に巻き取ったロール状袋体用の包装用シートであり、前記包装用シートは、前記ロール状袋体の巻き止めるために、可及的巻端縁部に設けられた接着部と、少なくとも前記ロール状袋体の製品情報が印刷された製品表示部を含む印刷部と、を備え、前記包装用シートの前記巻端縁部に、可及的に前記印刷部に干渉しない解舒動体で、当該包装用シートによる前記ロール状袋体の巻き止めを解舒する略山形状の解舒端部を形成したことを特徴とするロール状袋体の包装構造とした。【選択図】図７Ａ
2014024573.tif 000002
【特許請求の範囲】
【請求項１】
複数枚の帯状連続袋体をロール状に巻き取ったロール状袋体用の包装用シートであり、
前記包装用シートは、
前記ロール状袋体の巻き止めるために、可及的巻端縁部に設けられた接着部と、
少なくとも前記ロール状袋体の製品情報が印刷された製品表示部を含む印刷部と、
を備え、
前記包装用シートの前記巻端縁部に、可及的に前記印刷部に干渉しない解舒動体で、当該包装用シートによる前記ロール状袋体の巻き止めを解舒する略山形状の解舒端部を形成したことを特徴とするロール状袋体の包装構造。
【請求項２】
前記解舒端部は、前記巻端縁部の両角にそれぞれ設けられた前記接着部に干渉しないように、前記巻端縁部から略ハの字状に設けられたミシン目により略山形状に形成されることを特徴とする請求項１記載のロール状袋体の包装構造。
【請求項３】
前記解舒端部は、当初より略山形状に形成された前記巻端縁部の頂点部に１箇所の接着部を設けて形成されることを特徴とする請求項１記載のロール状袋体の包装構造。
【発明の詳細な説明】
【技術分野】
【０００１】
本発明は、包装用シートによるロール状袋体の包装構造に関し、詳しくは、包装用シートにより包装されたロール状袋体から包装用シートを簡易に剥離可能な包装構造に関する。
【背景技術】
【０００２】
従来、自治体指定ゴミ袋などの複数枚の袋体を切込破線で一連に連結した帯状連続袋体とし、この帯状連続袋体をロール状に巻き取ったロール状袋体の包装構造として、ロール状袋体の全体を専用の包装用袋で梱包状態に包装したものが知られている。
【０００３】
さらに、上記包装用袋に比べ、資源の節約やコストの低減やゴミの減少を図るため、帯状に形成した紙製などのシートの両端末部を粘着ラベルによってロール状袋体に止め付けるようにしたもの（以下、包装用シートという）が知られている。このような、包装用シートは、少ない包装資材によりロール状袋体を包装することができるという利点がある。
【０００４】
しかしながら、包装用シートの端末部をロール状袋体に止め付ける方法では、帯状連続袋体であるロール状袋体に包装用シートを直接に接着させる必要がある。これでは、帯状連続袋体の使用に際し、包装用シートを剥ぎ取る際に、その粘着力によって帯状連続袋体が破れたり、汚損したりするという問題があった。
【０００５】
そこで、ロール状袋体の外周に少なくとも1周以上巻き付ける包装用シートを用い、この包装用シートの端部の裏面を、該包装用シートの表面に重ね合わせて、接着糊や両面テープ、或は透明粘着テープ等で止め付けるようにしたものが提供されている。このような包装用シートを用いた包装構造では、包装用シートをロール状袋体に対して直接に接着させることがないため、従来と異なり、接着を剥がす際に、その接着力によって、帯状連続袋体であるロール状袋体が破れたり、汚損したりすることがない。
【０００６】
また、近年では、各指定自治体が指定した指定ゴミ袋によるゴミ収集が行なわれ、各指定自治体は、指定ゴミ袋販売に伴う収益をゴミ処理費等に充てるなど財政の負担軽減を図ることに取組んでいる。そこで、各自治体が指定した指定ゴミ袋の包装用シートには、使用されるロール状袋体の用途や製品概要が購入者に判るように製品表示部が表面に印刷されている。この製品表示部には、指定自治体の市町村名、生ゴミ用やペットボトル用等の用途、使用方法、製造会社名、品質表示等、製品に関する諸事項が記載されている。
【０００７】
上記状況に鑑みで、本出願人は、ロール状袋体を包装する包装用シートに着目し、この包装用シートに製品表示部を設けるだけではなく広告を印刷できる広告表示部を設けて、包装用シートを広告媒体として利用することで得られる広告費により、各指定自治体のゴミ処理費等にかかる財政の更なる負担軽減を図ることが可能なロール状袋体の包装構造を提供している（特許文献１参照。）。
【先行技術文献】
【特許文献】
【０００８】
【特許文献１】特開２００７−２９７１０９号公報
【発明の概要】
【発明が解決しようとする課題】
【０００９】
ところが、上記特許文献１のような包装用シートの包装構造では、図８Ａに示すように、ロール状袋体に包装用シートの巻端縁部の両角部裏面を該包装用シートの表面に重ね合わせ、接着部でロール状袋体を巻き止めた状態から、巻端縁部の略中央部から包装用シートをロール状袋体から剥ぎ取ると、図８Ｂに示すように、包装用シートに印刷された製品表示部、広告表示部１及び広告表示部２が破けてしまうという問題点があった。
【００１０】
製品表示部、広告表示部１及び広告表示部２は、破けてしまうと印刷された内容を購入者が読み取ることができない。また、包装用シートが破けた状態ではごみとして破棄される可能性が高く、例え読み取れる広告表示部が残っていたとしても広告の効果を十分発揮しているとはいえなかった。
【００１１】
本発明は、上記課題を解決するために、ロール状袋体の包装構造において、包装用シートの印刷部（製品表示部及び広告部など）の印刷面を破損することなく包装用シートをロール状袋体から容易に剥ぎ取ることができる包装用シートを提供することを目的とする。
【課題を解決するための手段】
【００１２】
上記の課題を解決するために、請求項１に記載の発明は、複数枚の帯状連続袋体をロール状に巻き取ったロール状袋体用の包装用シートであり、前記包装用シートは、前記ロール状袋体の巻き止めるために、可及的巻端縁部に設けられた接着部と、少なくとも前記ロール状袋体の製品情報が印刷された製品表示部を含む印刷部と、を備え、前記包装用シートの前記巻端縁部に、可及的に前記印刷部に干渉しない解舒動体で、当該包装用シートによる前記ロール状袋体の巻き止めを解舒する略山形状の解舒端部を形成したことを特徴とする。
【００１３】
請求項２に記載の発明は、請求項１に記載の発明において、前記解舒端部は、前記巻端縁部の両角にそれぞれ設けられた前記接着部に干渉しないように、前記巻端縁部から略ハの字状に設けられたミシン目により略山形状に形成されることを特徴とする。
【００１４】
請求項３に記載の発明は、請求項１に記載の発明において、前記解舒端部は、当初より略山形状に形成された前記巻端縁部の頂点部に１箇所の接着部を設けて形成されることを特徴とする。
【発明の効果】
【００１５】
請求項１の発明によれば、ロール状袋体を包装するための包装用シートに、ロール状袋体の巻き止めるために、可及的巻端縁部に設けられた接着部と、少なくともロール状袋体の製品情報が印刷された製品表示部を含む印刷部と、を備え、包装用シートの巻端縁部に、広告表示部に干渉しない解舒動体で、当該包装用シートによるロール状袋体の巻き止めを解舒する略山形状の解舒端部を形成している。これにより、ロール状袋体を包装している包装用シートを剥ぎ取るときに、包装用シートの接着部を剥がすことで発生する包装用シートの破損を防ぐことができ、包装用シートに印刷されている印刷部を傷つけることがなく、ロール状袋体の購入者は、包装用シートにきれいな状態で残った印刷部の内容を確認することが可能となる。
【００１６】
請求項２の発明によれば、解舒端部は、巻端縁部の両角にそれぞれ設けられた接着部に干渉しないように、巻端縁部から略ハの字状に設けられたミシン目により略山形状に形成されている。これにより、包装用シートに印刷されている印刷部を傷つけることなく、略山形状に形成されたミシン目に沿ってロール状袋体を包装している包装用シートを剥ぎ取ることができる。
【００１７】
請求項３の発明によれば、解舒端部は、当初より略山形状に形成された巻端縁部の頂点部に１箇所の接着部を設けて形成されている。これにより、略山形状に形成された巻端縁部の頂点部に設けられた１箇所の接着部を剥がすだけで、包装用シートに印刷されている印刷部を傷つけることなく、ロール状袋体を包装している包装用シートを剥ぎ取ることができる。
【図面の簡単な説明】
【００１８】
【図１Ａ】本発明の第１実施例における包装用シートを示す平面図である。
【図１Ｂ】第１実施例における包装用シートの接着部の他の構成を示す平面図である。
【図１Ｃ】第１実施例における包装用シートによりロール状袋体を包装した状態を示す図である。
【図１Ｄ】第１実施例における包装用シートによるロール状袋体の包装を剥離する状態を示す図である。
【図１Ｅ】第１実施例における包装用シートによるロール状袋体の包装を剥離する状態を示す図である。
【図１Ｆ】第１実施例における包装用シートによるロール状袋体の包装を剥離した後の包装用シートの正面図である。
【図１Ｇ】図１Ｃにおけるロール状袋体のＡ−Ａ断面図である。
【図２Ａ】第２実施例における包装用シートを示す平面図である。
【図２Ｂ】第２実施例における包装用シートを示す平面図である。
【図３】第３実施例における包装用シートを示す平面図である。
【図４】第４実施例における包装用シートを示す平面図である。
【図５】第５実施例における包装用シートを示す平面図である。
【図６】第６実施例における包装用シートを示す平面図である。
【図７Ａ】第７実施例における包装用シートを示す平面図である。
【図７Ｂ】第７実施例における包装用シートによりロール状袋体を包装した状態を示す図である。
【図７Ｃ】第７実施例における包装用シートによるロール状袋体の包装を剥離する状態を示す図である。
【図７Ｄ】第７実施例における包装用シートの変形例を示す平面図である。
【図７Ｅ】第７実施例における包装用シートの変形例を示す平面図である。
【図８Ａ】従来の包装構造を示す図である。
【図８Ｂ】従来の包装構造を示す図である。
【発明を実施するための形態】
【００１９】
以下、図面を参照して、本実施例に係るロール状袋体の包装構造である包装用シートの実施例を具体的に説明する。
［第１実施例］
【００２０】
まず、図１Ａ〜図１Ｇを参照して、ロール状袋体の包装構造の第１実施例を説明する。図１Ａは本発明の第１実施例における包装用シートを示す平面図である。図１Ｂは、第１実施例における包装用シートの接着部の他の構成を示す平面図である。図１Ｃは包装用シートによりロール状袋体を包装した状態を示す図である。図１Ｄは包装用シートによるロール状袋体の包装を剥離する状態を示す図である。図１Ｅは包装用シートによるロール状袋体の包装を剥離する状態を示す図である。図１Ｆはロール状袋体の包装を剥離した後の包装用シートの正面図である。図１Ｇは図１Ｃにおけるロール状袋体のＡ−Ａ断面図である。
【００２１】
図１Ａ〜Ｇにおいて、第１実施例に係る包装用シート１０で包装されるロール状袋体２０は、複数枚の袋体（例えば、自治体指定のゴミ袋等）が切込破線により一連に連結されて帯状に連続した帯状連続袋体である。この帯状連続袋体は、筒状プラスチックフイルムに、全幅に亘って切込破線を一定間隔で形成すると共に、この切込破線に近接して袋底溶着部を形成したものである。そして、帯状連続袋体を構成する袋体の開口側が巻き端になるようにロール状に巻き取ることでロール状袋体２０が形成されている。
【００２２】
なお、ロール状袋体２０をコンパクトにするために、帯状連続袋体の両側部分を内側に折り畳んだガゼットを形成してロール状に巻き取るようにしてもよい。また、帯状連続袋体を構成する袋体は、その両側縁に折込み形成するガゼットの有無、袋体形状、サイズに限定はなく、材質についてもポリエチレン樹脂やポリプロピレン樹脂等のプラスチックフイルムや紙、不織布等であってもよい。
【００２３】
図１Ａに示すように、包装用シート１０の短辺Ｗは、該包装用シート１０で包装されるロール状袋体２０の横幅Ｗ２よりも短く、長辺Ｈはロール状袋体２０の外周に少なくとも１周以上巻き付けられる長さの略長方形に形成されている。
【００２４】
包装用シート１０の可及的巻端縁部１１の両角裏面には、２箇所の接着部１２ａ、１２ａが略スポット状に設けられている。そして、包装用シート１０をロール状袋体２０の外周に一周以上巻き付けた場合に、上記接着部１２ａ、１２ａと当接する位置の包装用シート１０の表面両端には、２箇所の接着部１２ｂ、１２ｂが略スポット状に設けられている。そして、図１Ｂに示すように、包装用シート１０をロール状袋体２０の外周に巻き付けて、接着部１２ａ、１２ａと接着部１２ｂ、１２ｂとをそれぞれ接着することにより、包装用シート１０によりロール状袋体２０が巻き止められて包装される。すなわち、本実施例におけるロール状袋体２０を巻き止めるための包装用シート１０の接着部１２は、上記接着部１２ａ、１２ａと接着部１２ｂ、１２ｂとにより構成されている。
【００２５】
なお、接着部１２の構成は、図１Ａに示す構成だけではなく、例えば、図１Ｂ（ａ）に示すように、包装用シート１０の可及的巻端縁部１１の両角裏面に、巻端縁部１１に沿って横長の略長方形上の２箇所の接着部１２ａ、１２ａを設け、包装用シート１０をロール状袋体２０の外周に一周以上巻き付けた場合に、略長方形状の２箇所の接着部１２ａ、１２ａと当接する包装用シート１０の表面両端に、上記接着部１２ａ、１２ａと同様な形状の２箇所の接着部１２ｂ、１２ｂを設ける構成とすることもできる。
【００２６】
また、図１Ｂ（ｂ）に示すように、包装用シート１０の可及的巻端縁部１１の両角裏面に、巻端縁部１１から長辺Ｈの各両端に沿って縦長の略長方形上の２箇所の接着部１２ａ、１２ａを設け、包装用シート１０をロール状袋体２０の外周に一周以上巻き付けた場合に、略長方形状の２箇所の接着部１２ａ、１２ａと当接する包装用シート１０の表面両端に、上記接着部１２ａ、１２ａと同様な形状の２箇所の接着部１２ｂ、１２ｂを設ける構成とすることもできる。さらに、図１Ｂ（ａ）及び図１Ｂ（ｂ）に示す接着部１２の構成を組み合わせた構成とし、包装用シート１０の巻端縁部１１の両角部を剥がれ難く接着する構成としてもよい。
【００２７】
包装用シート１０には、始端である巻端縁部１１から終端である包装用シート１０の長辺Ｈの各両端まで、巻端縁部１１の両角裏面に設けられた２箇所の接着部１２ａ、１２ａに干渉しない位置に、ハの字状に２本のミシン目１３、１３が設けられている。詳細は後述するが、この２本のミシン目１３、１３により、ロール状袋体２０を巻き止めた包装用シート１０を剥ぎ取る場合に、包装用シート１０に印刷された広告を傷つけることなく剥がすことを可能としている。つまり、本実施例における解舒端部は、ハの字状に２本のミシン目１３、１３を設けることで形成されている。
【００２８】
包装用シート１０の巻端縁部１１の下方には、包装したロール状袋体２０の製品情報が印刷された印刷部としての製品表示部１４が設けられている。この製品表示部１４には、例えば、指定自治体の市町村名、生ゴミ用やペットボトル用等の用途、使用方法、製造会社名、品質表示等、製品に関する諸事項が印刷されている。
【００２９】
製品表示部１４は、包装用シート１０によりロール状袋体２０に包装された状態（図１Ｃ参照）において、当該ロール状袋体２０の外周から製品内容を確認できるように包装用シート１０の可視部１０ａに設けられている。この可視部１０ａは、包装用シート１０によりロール状袋体２０を巻き止めて包装した状態で、包装用シート１０の外周表面の印刷された内容を確認できる包装用シート１０の表面である。このように、可視部１０ａに製品表示部１４を設けることで、商品であるロール状袋体２０が陳列棚等に置かれた状態（つまり、包装用シート１０によりロール状袋体２０が包装された状態）で、ロール状袋体２０の購入者は使用目的に応じたロール状袋体２０の種別を確認することができるようにしている。
【００３０】
包装用シート１０の表面の製品表示部１４を除いた無地個所には、印刷部としての第１広告表示部１５ａと第２広告表示部１５ｂとが設けられている。つまり、本実施例においては、上述した製品表示部１４だけではなく、第１広告表示部１５ａと第２広告表示部１５ｂによっても印刷部が構成されている。また、印刷部には、必ずしも外部事業者から募集した広告だけではなく、例えば、ロール状袋体２０の使用を指定した各指定自治体からの重要な情報（例えば、ごみ収集日の変更の案内など）を印刷して掲載することもできる。このように、使用するロール状袋体２０に関する情報を掲載することで、各指定自治体からの重要な情報をロール状袋体２０のユーザにピンポイントで確実に伝えることができ、別途チラシ等の広告費をかける必要がなく、各指定自治体の経費の節減を図ることが可能である。
【００３１】
さらに、本実施例における印刷部には、例えば、各指定自治体における行事（イベント）の案内（例えば、夏祭り、運動会、正月の餅つきなどのイベントの開催日時、参加案内）を掲載してもよいし、さらに、各指定自治体の管轄における小学生、幼稚園児が作成したイラストやポスターなどを掲載してもよい。
【００３２】
この第１広告表示部１５ａ及び第２広告表示部１５ｂには、広告の掲載を希望する広告主の会社名、商標やサービスマーク、そのほか広告に伴う各種の情報が記載されている。製品表示部１４の下方に設けられた第１広告表示部１５ａは、製品表示部１４と同様に、包装用シート１０の表面の可視部１０ａに設けられており、包装用シート１０によりロール状袋体２０を包装した状態で、包装用シート１０の第１広告表示部１５ａに印刷された広告の内容を確認することができる。
【００３３】
第２広告表示部１５ｂは、包装用シート１０の非可視部１０ｂに設けられている。この非可視部１０ｂは、包装用シート１０によりロール状袋体２０を包装した状態では、印刷された内容を確認できない包装用シート１０の表面である。つまり、図１Ｇに示すように、包装用シート１０によりロール状袋体２０を包装する場合に、ロール状袋体２０の端末部２０ａと重なる部分である。このため、包装用シート１０によるロール状袋体２０の包装を剥ぎ取った状態でしか第２広告表示部１５ｂに印刷された広告を見ることが出来ない。また、包装用シート１０の非可視部１０ｂから延出してロール状袋体２０の外周を１周して、包装用シート１０の表面に可視部１０ａが形成される。
【００３４】
本実施例にかかる第１広告表示部１５ａ及び第２広告表示部１５ｂは、包装用シート１０によりロール状袋体２０を包装した状態で見ることができる箇所（包装用シート１０の表面の可視部１０ａ）と、包装用シート１０によりロール状袋体２０を包装した状態で見ることができない箇所（包装用シート１０の表面の非可視部１０ｂ）との複数の箇所に設けられている。
【００３５】
このように、包装用シート１０に複数の広告表示部（第１広告表示部１５ａ及び第２広告表示部１５ｂ）を設けることで、広告主から広告費を得ることができ、この広告費によりにより、各指定自治体のゴミ処理費等にかかる財政の更なる負担軽減を図ることが可能となる。なお、広告主は１社に限らず、複数社でもよいし、そのレイアウトやデザインも適宜に設定できる。また、広告表示部を複数箇所設けることで、一枚の包装用シート１０に複数の広告主を募集することができ、広告費の増収を図ることができる。
【００３６】
また、包装用シート１０の可視部１０ａの設けられた第１広告表示部１５ａと、包装用シート１０の非可視部１０ｂに設けられた第２広告表示部１５ｂでは広告費が異なり、包装用シート１０の可視部１０ａに設けられた第１広告表示部１５ａは、上述したように、包装用シート１０によりロール状袋体２０を包装した状態で広告の内容を確認することができるため、第２広告表示部１５ｂの広告費よりも高額に設定することができる。
【００３７】
上述した構成の包装用シート１０を、ロール状袋体２０の外周に少なくとも1周以上巻き付け巻きつけて、包装用シート１０の接着部１２により接着することで、図１Ｃに示すように、包装用シート１０によりロール状袋体２０が包装される。
【００３８】
ここで、図１Ｇを用いて包装用シート１０によるロール状袋体の包装構造を説明する。図１Ｇに示すように。包装用シート１０の非可視部１０ｂはロール状袋体２０の端末部２０ａとの間に挟み込まれて挟持される。そして、包装用シート１０の可視部１０ａは、ロール状袋体２０の端末部２０ａから延出してロール状袋体２０の外周を少なくとも１周して、包装用シート１０の巻端縁部１１の両角裏面の接着部１２ａ、１２ａと、該包装用シート１０の表面の接着部１２ｂ、１２ｂとを接着することで、ロール状袋体２０に巻き止められる。
【００３９】
このように、包装用シート１０の非可視部１０ｂをロール状袋体２０の端末部２０ａを挟み込ませた上で、包装用シート１０をロール状袋体２０に巻き付けると、包装用シート１０からロール状袋体２０がズレたり、抜け落ちたりすることがなく、包装用シート１０によるロール状袋体２０の包装を安定させることができる。
【００４０】
包装用シート１０によりロール状袋体２０が包装された状態（図１Ｃ参照）から、包装用シート１０を剥ぎ取る場合には、図１Ｄに示すように、包装用シート１０の巻端縁部１１の略中央部を指でつかみ、巻端縁部１１に設けられたミシン目１３、１３に沿って巻端縁部１１を引っ張る。これにより、包装用シート１０の接着部１２を剥がすことなく、ハの字状のミシン目１３、１３に沿って、包装用シート１０を剥ぎ取ることができる。
【００４１】
さらに、包装用シート１０のミシン目１３、１３に沿って剥がすと、図１Ｅに示すように、包装用シート１０の裏面に印刷された第３広告表示部１５ｃを見ることが可能となる。つまり、本実施例にかかる包装用シート１０は、表面に印刷された第１広告表示部１５ａ及び第２広告表示部１５ｂ以外にも、包装用シート１０の裏面の無地個所に第３広告表示部１５ｃを設けている。
【００４２】
この第３広告表示部１５ｃには、上述した包装用シート１０の表面に印刷された第１広告表示部１５ａ及び第２広告表示部１５ｂと同様に広告の掲載を希望する広告主の会社名、商標やサービスマーク、そのほか広告に伴う各種の情報が記載されている。また、第３広告表示部１５ｃは、上述した第２広告表示部１５ｂと同様に、包装用シート１０によりロール状袋体２０を包装した状態では、印刷された内容は確認できない。
【００４３】
包装用シート１０の裏面に設けられた第３広告表示部１５ｃは、上述した包装用シート１０の表面に印刷された第１広告表示部１５ａ及び第２広告表示部１５ｂよりも多くの広告を印刷できるスペース（例えば、包装用シート１０の裏面全体）を取ることができ、かつ、包装用シート１０によるロール状袋体２０の包装を剥ぎ取る途中に現れるというインパクトを与えることができる。このため、包装用シート１０表面に設けられた第１広告表示部１５ａ及び第２広告表示部１５ｂの広告費よりも高い広告費を設定することもできる。なお、当然のことながら、包装用シート１０の裏面を複数に区画して、複数の広告表示部を設けるようにしてもよい。このように、包装用シート１０の表面だけではなく、裏面にも広告表示部（第３広告表示部１５ｃ）を設けることで、さらなる広告費の増収を図ることができる。
【００４４】
図１Ｅに示す状態から、ロール状袋体２０の包装を剥がした後の包装用シート１０は、図１Ｆに示すような状態となる。すなわち、包装用シート１０の巻端縁部１１の両端に設けられた接着部１２ａ、１２ａを含む逆三角形の巻端縁部１１の両端部分１１ａ、１１ａは、包装用シート１０の表面両端の接着部１２ｂ、１２ｂの上にハの字状のミシン目１３、１３に沿って張り付いたまま残ることになる。つまり、図１Ｆに示すように、本実施例における解舒端部としての巻端縁部１１は、ハの字状に設けられた２本のミシン目１３、１３に沿って剥ぎとることで、ロール状袋体２０の包装を剥がした後の包装用シート１０の巻端縁部１１は略山形状になる。
【００４５】
本実施例によれば、包装用シート１０をロール状袋体２０から剥ぎ取った場合に、包装用シート１０の表面に印刷された第１広告表示部１５ａ及び第２広告表示部１５ｂと、裏面に印刷された第３広告表示部１５ｃとは、何ら損傷することなく残すことができる。また、製品表示部１４の上側両端のミシン目１３、１３にかかる一部は損傷するものの、損傷部分以外に製品表示部１４の重要な情報（例えば、用途、品質表示等）を印刷することで、製品表示部１４における重要な情報も残すことができる。
【００４６】
上述した実施例によれば、包装用シート１０の巻端縁部１１に設けられたミシン目に沿って剥がすだけで、包装用シート１０の表面及び裏面に印刷されている製品表示部１４、
広告表示部（第１広告表示部１５ａ、第２広告表示部１５ｂ、第３広告表示部）からなる印刷部を可及的に傷つけることなくロール状袋体２０を包装している包装用シート１０を剥ぎ取ることができる。このため、ロール状袋体２０を購入した購入者は、包装用シート１０にきれいな状態で印刷されている印刷部を見ることができ、また、役に立つ広告などの情報を切り取って印刷された当初の状態で保管して置く事もできる。
［第２実施例］
【００４７】
次に、図２Ａ及び図２Ｂを参照して、ロール状袋体の包装構造の第２実施例を説明する。図２Ａ及び図２Ｂは第２実施例における包装用シートの平面図である。なお、以下の説明では、上述した第１実施例と異なる構成のみ説明し、その他の構成は、同じ符号を付して説明を省略する。
【００４８】
図２Ａに示す包装用シート１０は、２本のミシン目１３、１３の形状が第１実施例と異なる。つまり、包装用シート１０には、上述した第１実施例と同様に、始端である巻端縁部１１から終端である包装用シート１０の長辺Ｈの各両端まで、巻端縁部１１の両角裏面に設けられた２箇所の接着部１２ａ、１２ａに干渉しない位置に、ハの字状に略直線で２本のミシン目１３、１３が設けられ、しかも、このミシン目１３、１３の長さを第１実施例よりも長くしているところに特徴がある。
【００４９】
具体的には、巻端縁部１１の両角裏面の２箇所の接着部１２ａ、１２ａに干渉しない位置に、巻端縁部１１を始端として包装用シート１０の長辺Ｈの各両端までハの字状に斜めに入れた２本のミシン目１３、１３の終端を、第１広告表示部１５ａの近傍まで近づけている。これにより、ミシン目１３は長くなり、巻端縁部１１から両端の長辺Ｈにかけてハの字状に斜めに入れた２本のミシン目１３、１３を垂直に近づけることができ、巻端縁部１１を引っ張った時の張力は、効率よくミシン目１３にかかることになる。このため、ミシン目１３の途中から包装用シート１０が破けてしまうことを防ぐことができるので、より確実に第１広告表示部１５ａ等の印刷部の損傷を防いで、包装用シート１０を剥ぎ取ることが可能となる。
【００５０】
図２Ｂに示す包装用シート１０は、２本のミシン目１３、１３の長さ及び形状が第１実施例と異なり、２本のミシン目１３、１３は、巻端縁部１１から下方に略垂直に入れられ、途中から包装用シート１０の両端の長辺Ｈまで緩やかに湾曲させてハの字状に入れられている。
【００５１】
このように、ミシン目１３、１３を長くするとともに、その形状を工夫することにより、巻端縁部１１を引っ張った時の張力は、まず垂直に入れられたミシン目１３、１３に効率よく伝わり、確実にミシン目１３、１３に沿って包装用シート１０を剥がすことができ、その後、包装用シート１０は、長辺方向の両端まで緩やかに湾曲させて斜めに入れられたミシン目１３、１３に沿って剥ぎ取られるので、より確実に包装用シート１０が破けることを防いで、第１広告表示部１５ａ等の印刷部の損傷を防ぐことが可能となる。
［第３実施例］
【００５２】
次に、図３を参照して、ロール状袋体の包装構造の第３実施例を説明する。図３は第３実施例における包装用シートの平面図である。なお、以下の説明では、上述した第２実施例と同様に、第１実施例と異なる構成のみ説明し、その他の構成は、同じ符号を付して説明を省略する。
【００５３】
図３に示す包装用シート１０は、２本のミシン目１３、１３の入れ方が第１実施例と異なる。つまり、第３実施例における包装用シート１０には、上記第１実施例と同様に、巻端縁部１１の両角裏面の２箇所の接着部１２ａ、１２ａに干渉しない位置に、巻端縁部１１から包装用シート１０の長辺Ｈの両端までハの字状に２本のミシン目１３ａ、１３ａが入れられ、さらにその下方に所定の距離をおいて、ミシン目１３ａ、１３ａと略平行に２本のミシン目１３ｂ、１３ｂが入れられているところに特徴がある。
【００５４】
このように、ミシン目１３ａ、１３ａの下方に同様なミシン目１３ｂ、１３ｂを設けることで、巻端縁部１１を引っ張った時に、ミシン目１３ａ、１３ａの途中から包装用シート１０が破けた場合でも、その下方のミシン目１３ｂ、１３ｂにより破損部が吸収されて、ミシン目１３ｂ、１３ｂに沿って包装用シート１０を剥ぎ取ることができ、第１広告表示部１５ａ等の印刷部の損傷を防ぐことが可能となる。
［第４実施例］
【００５５】
次に、図４を参照して、ロール状袋体の包装構造の第４実施例を説明する。図４は第４実施例における包装用シートの平面図である。なお、以下の説明では、上述した第２実施例及び第３実施例と同様に、第１実施例と異なる構成のみ説明し、その他の構成は、同じ符号を付して説明を省略する。
【００５６】
図４に示す包装用シート１０は、２本のミシン目１３の大きさが第１実施例と異なる。つまり、包装用シート１０には、巻端縁部１１の両角裏面の２箇所の接着部１２ａ、１２ａに干渉しない位置に、巻端縁部１１から包装用シート１０の長辺Ｈの両端までハの字状に２本のミシン目１３、１３が入れられているが、このミシン目１３、１３の大きさが、開始時のミシン目１３ａ、１３ａと途中からのミシン目１３ｂ、１３ｂとでは異なっているところに特徴がある。
【００５７】
具体的には、ミシン目の始端である巻端縁部１１から所定の距離の間は、大きいミシン目１３ａ、１３ａ（例えば、切手シートなどに入れられているミシン目）が入れられ、途中から包装用シート１０の各長辺Ｈに至る終端までは、小さいミシン目１３ｂ、１３ｂが入れられている。このミシン目１３ａ、１３ａとミシン目１３ｂ、１３ｂの大きさの違いは、小さいミシン目１３ｂ、１３ｂを上述した第１実施例の通常の大きさとすると、大きいミシン目１３ａ、１３ａは少なくとも小さいミシン目１３ｂ、１３ｂよりは大きく、ミシン目の間隔も長く入れられている。
【００５８】
これにより、ミシン目の始端である巻端縁部１１における大きいミシン目１３ａ、１３ａにおいては、ミシン目の強度（つまり、剥がれ難い）が強くなり、例えば、包装用シート１０により包装されたロール状袋体２０が、商品棚等に重ねて陳列されているときに、包装用シート１０に設けられたミシン目が、ロール状袋体２０同士の接触等により巻端縁部１１から剥がれることを防止することが可能となる。
［第５実施例］
【００５９】
次に、図５を参照して、ロール状袋体の包装構造の第５実施例を説明する。図５は第５実施例における包装用シートの平面図である。なお、以下の説明では、上述した第２実施例〜第４実施例と同様に、第１実施例と異なる構成のみ説明し、その他の構成は、同じ符号を付して説明を省略する。
【００６０】
図５に示す包装用シート１０は、２本のミシン目１３、１３の入れ方（ミシン目の形状及び大きさ）が第１実施例と異なるところに特徴がある。
【００６１】
具体的には、ミシン目１３、１３の巻端縁部１１の開始端から略Ｗ字状に、まず、所定の距離の間は、大きいミシン目１３ａ、１３ａ（例えば、切手シートなどに入れられているミシン目）が入れられ、途中から小さいミシン目１３ｂ、１３ｂが入れられている。そして、略Ｗ字状に形成された大きいミシン目１３ａ、１３ａの底に連結するように、包装用シート１０の長辺Ｈの両端まで斜めに２本の小さいミシン目１３、１３がハの字状に入れられている。なお、上述した各実施例と同様に、巻端縁部１１の両角裏面の２箇所の接着部１２ａ、１２ａに干渉しない位置にミシン目１３、１３は入れられている。
【００６２】
そして、この第５実施例においては、包装用シート１０によるロール状袋体２０の包装を剥がす場合は、まず、略Ｗ字状にそって設けられたミシン目１３ａ，１３ｂに沿って、包装用シート１０の巻端縁部１１を略Ｗ字状に切り取り、その後、略Ｗ字状に切り取られて残った巻端縁部１１の中央を引っ張ることで、略Ｗ字状に形成された大きいミシン目１３ａ、１３ａの底部に連結して入れられた２本の小さいミシン目１３ｂ、１３ｂに沿って包装用シート１０を剥がすことができる。
【００６３】
第５実施例によるミシン目の入れ方によれば、ロール状袋体２０同士の接触により巻端縁部１１から剥がれて、包装用シート１０によるロール状袋体２０の包装が剥がれることを防止することが可能となり、さらに、残った巻端縁部１１の中央を引っ張った時の張力は、スムーズにミシン目１３ｂ、１３ｂにかかることになり、容易に第１広告表示部１５ａ等の印刷部の損傷を防ぎつつ、包装用シート１０を剥ぎ取ることが可能となる。
［第６実施例］
【００６４】
次に、図６を参照して、ロール状袋体の包装構造の第６実施例を説明する。図６は第６実施例における包装用シートの平面図である。なお、以下の説明では、上述した第２実施例〜第５実施例と同様に、第１実施例と異なる構成のみ説明し、その他の構成は、同じ符号を付して説明を省略する。
【００６５】
図６に示す包装用シート１０は、その形状が第１実施例と異なる。つまり、包装用シート１０を略長方形に形成した後、包装用シート１０の長辺Ｈに所定間隔で左右２箇所、合計４箇所の切り欠き部１０ｃを左右対称に設け、さらに、２本のミシン目１３、１３を巻端縁部１１の両角裏面の２箇所の接着部１２ａ、１２ａに干渉しない位置に、巻端縁部１１から包装用シート１０の長辺方向の上部左右に設けられた切り欠き部１０ｃまで略垂直に一直線に入れているところに特徴がある。
【００６６】
これにより、切り欠き部１０ｃで切り欠いた部分の包装用シート１０の素材を再利用し、資源の節約を図ると共に、包装用シート１０のデザイン性も向上させている。さらに、巻端縁部１１を引っ張った場合に、巻端縁部１１から包装用シート１０の長辺Ｈの上部左右に設けられた切り欠き部１０ｃまで一直線に入れられたミシン目１３、１３に沿って包装用シート１０を剥ぎ取ることができ、包装用シート１０が破けて第１広告表示部１５ａ等の印刷部の損傷を防ぐことが可能となる。
【００６７】
以上、本発明にかかる複数の実施例を説明してきたが、上述した第１〜第６実施例におけるミシン目を単独で包装用シート１０に設けても良いが、例えば、上述した各実施例における特徴のあるミシン目を組合せた形状のミシン目を形成し、包装用シート１０に設けることもできる。
【００６８】
なお、上述した第１〜第６実施例におけるミシン目は、巻端縁部１１にはかからないように、言い換えると、巻端縁部１１から所定距離（例えば、０．５ｍｍ）をあけて入れられている。これにより、例えば、商品として陳列されたロール状袋体２０同士の接触により、包装用シート１０が巻端縁部１１から剥がれることを防止することができる。
【００６９】
また、上述した第１〜第６実施例におけるミシン目の形状は、特に限定されるものではない。つまり、包装用シート１０によりロール状袋体２０を巻き止めた状態では自然に剥がれることが無い程度の強度を有し、且つ、包装用シート１０を巻端縁部１１から剥がす場合は、ミシン目に沿ってスムーズに剥ぎ取ることができる形状であればよい。
［第７実施例］
【００７０】
次に、図７Ａ〜図７Ｅを参照して、ロール状袋体の包装構造の第７実施例を説明する。図７Ａは第７実施例における包装用シートの平面図である。図７Ｂは第７実施例における包装用シートにより包装されたロール状袋体を示す図である。図７Ｃは第７実施例における包装用シートによるロール状袋体の包装を剥離する状態を示す図である。図７Ｄ及び図７Ｅは第７実施例における包装用シートの変形例を示す平面図である。なお、以下の説明では、上述した第１実施例と異なる構成のみ説明し、その他の構成は、同じ符号を付して説明を省略する。
【００７１】
図７Ａに示すように、第７実施例にかかる包装用シート１０は、上述した各実施例と同様に略長方形に形成されているが、包装用シート１０の巻端縁部１１の形状と、接着部１２の構成が異なり、なおかつミシン目１３が設けられていないところに特徴がある。
【００７２】
第７実施例における包装用シート１０の巻端縁部１１は、当初より頂点部を水平に切り欠いた略山形状に形成されている。そして、頂点部の裏面に１箇所の接着部１２ａが略スポット状に設けられている。包装用シート１０をロール状袋体２０の外周に一周以上巻き付けた場合に、接着部１２ａと当接する位置の包装用シート１０の略中央部表面には１箇所の接着部１２ｂが略スポット状に設けられている。そして、図７Ｂに示すように、包装用シート１０をロール状袋体２０の外周に巻き付けて、接着部１２ａと接着部１２ｂとをそれぞれ接着することによりロール状袋体２０が巻き止められて包装される。
【００７３】
すなわち、本実施例におけるロール状袋体２０を巻き止めるための包装用シート１０の接着部１２は、上記接着部１２ａと接着部１２ｂとにより構成されている。また、本実施例における解舒端部は、略山形状に形成された包装用シート１０の巻端縁部１１である。
【００７４】
図７Ｂに示す包装用シート１０によりロール状袋体２０が包装された状態から、包装用シート１０を剥がす場合には、図７Ｃに示すように、包装用シート１０の巻端縁部１１の頂点部に設けられた接着部１２を剥がすことにより、簡単に包装用シート１００によるロール状袋体２０の包装を剥がすことができる。
【００７５】
このように、第７実施例においては、包装用シート１０の巻端縁部１１を略山形状に形成し、その頂点部の１箇所の接着部１２により包装用シート１０をロール状袋体２０に巻き止める構成のため、頂点部の接着部１２を剥がすだけで簡単に包装用シート１０によるロール状袋体２０の包装を剥がすことができる。つまり、本実施例によれば、包装用シート１０をロール状袋体２０から剥ぎ取った場合に、本実施例にかかる印刷部としての製品表示部１４及び広告表示部（第１広告表示部１５ａ、第２広告表示部１５ｂ及びと第３広告表示部１５ｃ）は、何ら損傷することなく残すことができる。
【００７６】
なお、略山形状に形成された巻端縁部１１の形状は、図７Ａに示す形状だけではなく、例えば、図７Ｄに示すように、包装用シート１０の巻端縁部１１を、略山形状に形成するとともに頂点部を半円状に形成することもできる。これにより、包装用シート１０を剥がす場合には、半円状に形成された頂点部１１ａをつまんで接着部１２を剥がすことができ、簡単に包装用シート１０によるロール状袋体２０の包装を剥がすことができる。
【００７７】
また、図７Ｅに示すように、包装用シート１０の巻端縁部１１の形状を、略山形状に形成するとともに、頂点部１１ａを水平に切り欠くことなく三角形状に形成することもできる。これにより、包装用シート１０を剥がす場合には、三角形状の頂点部の角をつまんで接着部１２を剥がすことができ、簡単に包装用シート１０によるロール状袋体２０の包装を剥がすことができる。
【００７８】
また、第７実施例における包装用シート１０は、包装用シート１０の巻端縁部１１を略山形状に形成し、その頂点部の１箇所に接着部１２を設けているため、接着部１２の両側から包装用シート１０が自然と捲れてロール状袋体２０の巻き止めが剥がれてしまうことがなく、ロール状袋体２０を安定した状態で巻き止めることができる。
【００７９】
また、本発明の各実施例における包装用シート１０は、その素材としては形状やミシン目の加工や印刷が容易な紙製の素材が用いられることが望ましいが、これに限定されるものではなく、紙製と同様に形状やミシン目の加工や印刷が容易な素材であればよい。
【００８０】
また、本発明における包装用シート１０の印刷部には、製品表示部１４をはじめとして、包装用シート１０で包装されたロール状袋体２０の購入者に有益な各種情報（広告、各地方自治体からの情報、地域の小学生や幼稚園児が作成したイラストやポスターなど）を印刷することができる。そして、本発明では、この印刷部に印刷された各種情報を可及的に損傷することなく包装用シート１０を容易に剥ぎ取ることができる構成としているため、包装用シート１０の印刷部に掲載された印刷面を、購入者が確認又は楽しむことを可能としている。
【００８１】
また、包装用シート１０の印刷部である製品表示部１４を除いた無地個所に、必ずしも製品表示部１４以外の各種情報を印刷しなくてもよい。この場合でも、印刷部である製品表示部１４を可及的に損傷することなく包装用シート１０を容易に剥ぎ取ることができる構成としているため、製品表示部１４に掲載された製品情報を購入者が確認できるので、次に同じ製品を購入する場合に、製品情報を確認して購入することができる。
【００８２】
以上、各実施例を通して本発明を説明してきたが、本発明はこれらに限定されるものではない。また、上述した各効果は、本発明から生じる最も好適な効果を列挙したに過ぎず、本発明による効果は、各実施例に記載されたものに限定されるものではない。
【符号の説明】
【００８３】
１０  包装用シート
１０ａ  可視部
１０ｂ  非可視部
１１  巻端縁部
１２  接着部
１３  ミシン目
１４  製品表示部
１５ａ  第１広告表示部
１５ｂ  第２広告表示部
１５ｃ  第３広告表示部
２０  ロール状袋体２０
【図１Ａ】
2014024573.tif 000003
【図１Ｂ】
2014024573.tif 000004
【図１Ｃ】
2014024573.tif 000005
【図１Ｄ】
2014024573.tif 000006
【図１Ｅ】
2014024573.tif 000007
【図１Ｆ】
2014024573.tif 000008
【図１Ｇ】
2014024573.tif 000009
【図２Ａ】
2014024573.tif 000010
【図２Ｂ】
2014024573.tif 000011
【図３】
2014024573.tif 000012
【図４】
2014024573.tif 000013
【図５】
2014024573.tif 000014
【図６】
2014024573.tif 000015
【図７Ａ】
2014024573.tif 000016
【図７Ｂ】
2014024573.tif 000017
【図７Ｃ】
2014024573.tif 000018
【図７Ｄ】
2014024573.tif 000019
【図７Ｅ】
2014024573.tif 000020
【図８Ａ】
2014024573.tif 000021
【図８Ｂ】
2014024573.tif 000022